(57)【要約】      （修正有）【課題】無駄な電力消費を抑制しつつ適切な音量レベルでオーディオ信号を再生する技術を提供する。【解決手段】スピーカ切替装置１は、音量調整部１１で、制御部１５から指示された音量レベル調整量に従い、音量レベルを調整、演算部１３は、オーディオ信号の周波数分布を検出、記憶部１４は、スピーカを切り替えた場合の音量レベル調整量を記憶し、再生するオーディオ信号に応じて、周波数特性の異なるスピーカ２Ａ、２Ｂを切り替えて使用し、使用するスピーカ２Ａ、２Ｂに応じて、再生するオーディオ信号の出力音量レベルを調整する。広帯域の周波数特性を有するスピーカ２Ａと狭帯域の周波数特性を有するスピーカ２Ｂとの間でオーディオ信号の供給先を切り替え、スピーカ２Ｂにおいて出力音量レベルが最大となる音声帯域での出力音量レベルが、スピーカ２Ａにおける音声帯域での出力音量レベルと同じになるよう、オーディオ信号の出力音量レベルを調整する。【選択図】図１
2015070356.tif 000002
【特許請求の範囲】
【請求項１】
周波数特性の異なる複数のスピーカに接続されるスピーカ切替装置であって、
前記複数のスピーカのなかからオーディオ信号の供給先を切り替える切替手段と、
前記切替手段によりオーディオ信号の供給先が切り替えられた場合に、切替前のスピーカの周波数特性と切替後のスピーカの周波数特性との差異に応じて定められた音量レベル調整量に従い、当該オーディオ信号の音量レベルを調整する音量調整手段と、を有する
ことを特徴とするスピーカ切替装置。
【請求項２】
請求項１に記載のスピーカ切替装置であって、
広帯域の周波数特性を有するスピーカと狭帯域の周波数特性を有するスピーカとの間で前記オーディオ信号の供給先を切り替える場合に、前記狭帯域の周波数特性を有するスピーカにおいて音量レベルが最大となる帯域での音量レベルが、前記広帯域の周波数特性を有するスピーカにおける同一帯域での音量レベルと同じになるように、前記音量レベル調整量が設定されている
ことを特徴とするスピーカ切替装置。
【請求項３】
請求項１または２に記載のスピーカ切替装置であって、
前記オーディオ信号の周波数分布を検出する演算手段と、
前記演算手段により検出された周波数分布と最も整合する周波数特性を有するスピーカを特定して、前記オーディオ信号の供給先を、当該特定したスピーカに切り替えるように前記切替手段を制御する制御手段と、をさらに有する
ことを特徴とするスピーカ切替装置。
【請求項４】
請求項３に記載のスピーカ切替装置であって、
前記複数のスピーカから再生音を集音するマイクと、
前記複数のスピーカ各々の周波数特性を記憶する記憶手段と、をさらに有し、
前記制御手段は、
前記切替手段を制御して前記複数のスピーカを順番に切り替えながら所定のノイズ信号を供給し、前記マイクにより集音された再生音の周波数分布を前記演算手段に検出させ、当該検出された再生音の周波数分布を、当該ノイズ信号が供給されているスピーカの周波数特性として前記記憶手段に記憶するとともに、
前記切替手段により前記オーディオ信号の供給先が切り替えられた場合に、前記記憶手段に記憶されている切替前のスピーカの周波数特性と切替後のスピーカの周波数特性との差異に基づいて前記音量レベル調整量を決定し、当該音量レベル調整量を前記音量調整手段に出力する
ことを特徴するスピーカ切替装置。
【請求項５】
請求項１または２に記載のスピーカ切替装置であって、
前記オーディオ信号には、当該オーディオ信号が表すコンテンツのジャンルを識別するためのジャンルコードが付与されており、
前記オーディオ信号に付与されたジャンルコードに予め対応付けられているスピーカを特定して、当該オーディオ信号の供給先を、当該特定したスピーカに切り替えるように前記切替手段を制御する制御手段をさらに有する
ことを特徴とするスピーカ切替装置。
【請求項６】
周波数特性の異なる複数のスピーカと、
前記複数のスピーカに接続された請求項１ないし５のいずれか一項に記載のスピーカ切替装置と、を有する
ことを特徴とするオーディオ機器。
【発明の詳細な説明】
【技術分野】
【０００１】
本発明は、周波数特性の異なる複数のスピーカを切り替えるスピーカの切替技術に関する。
【背景技術】
【０００２】
特許文献１には、深夜等の時間帯において音声以外の音を抑制することができるテレビジョン受像機が開示されている。
【０００３】
このテレビジョン受像機は、音声信号処理回路とスピーカとの間に設けられたスイッチおよび帯域フィルタと、制御部と、を有する。帯域フィルタは、音声帯域のオーディオ信号のみを通過し、それ以外の帯域のオーディオ信号をフィルタリングする。制御部は、予め設定された夜間モード時間帯では、音声信号処理回路とスピーカとが帯域フィルタを介して接続されるようにスイッチを制御する。また、夜間モード時間帯以外の時間帯では、音声信号処理回路とスピーカとが直接接続されるようにスイッチを制御する。
【０００４】
このため、夜間モード時間帯においては、帯域フィルタを作用させて人の音を強調する一方、それ以外の音を抑制することにより、音量を小さくしても人の声を聞き取り易くすることができる。また、夜間モード時間帯以外の時間帯においては、音を通常に出力することができる。
【先行技術文献】
【特許文献】
【０００５】
【特許文献１】特開２００５−３２８１７７号
【発明の概要】
【発明が解決しようとする課題】
【０００６】
上述したように、特許文献１に記載のテレビジョン受像機では、音声帯域以外の帯域を帯域フィルタでフィルタリングすることにより、音声以外の音を抑制している。このため、深夜等の時間帯においては、帯域フィルタを介して音声帯域のオーディオ信号のみがスピーカから出力されるが、特許文献１に記載の技術は、帯域フィルタでフィルタリングされ、スピーカから出力されない帯域のオーディオ信号のために無駄に消費される電力を考慮していない。
【０００７】
本発明は上記事情に鑑みてなされたものであり、その目的は、無駄な電力消費を抑制しつつ、適切な音量レベルでオーディオ信号を再生する技術を提供することにある。
【課題を解決するための手段】
【０００８】
上記課題を解決するために、本発明では、周波数特性の異なる複数のスピーカを切り替えて使用する。そして、使用するスピーカに応じて、再生するオーディオ信号の音量レベルを調整する。例えば、広帯域の周波数特性を有するスピーカと狭帯域の周波数特性を有するスピーカとの間でオーディオ信号の供給先を切り替える場合に、狭帯域の周波数特性を有するスピーカにおいて音量レベルが最大となる帯域での音量レベルが、広帯域の周波数特性を有するスピーカにおける同一帯域での音量レベルと同じになるように、再生するオーディオ信号の音量レベルを調整する。
【０００９】
例えば、本発明のスピーカ切替装置は、周波数特性の異なる複数のスピーカに接続されるスピーカ切替装置であって、
前記複数のスピーカのなかからオーディオ信号の供給先を切り替える切替手段と、
前記切替手段によりオーディオ信号の供給先が切り替えられた場合に、切替前のスピーカの周波数特性と切替後のスピーカの周波数特性との差異に応じて定められた音量レベル調整量に従い、当該オーディオ信号の音量レベルを調整する音量調整手段と、を有する。
【００１０】
ここで、広帯域の周波数特性を有するスピーカと狭帯域の周波数特性を有するスピーカとの間で前記オーディオ信号の供給先を切り替える場合に、前記狭帯域の周波数特性を有するスピーカにおいて音量レベルが最大となる帯域での音量レベルが、前記広帯域の周波数特性を有するスピーカにおける同一帯域での音量レベルと同じになるように、前記音量レベル調整量を設定してもよい。
【発明の効果】
【００１１】
本発明では、使用するスピーカに応じて、再生するオーディオ信号の音量レベルを調整するので、電力消費を抑制しつつ、適切な音量レベルでオーディオ信号を再生することができる。特に、狭帯域の周波数特性を有するスピーカは、広帯域の周波数特性を有するスピーカに比べて帯域が狭い分、音量レベルが最大となる帯域での効率が、広帯域の周波数特性を有するスピーカに比べて高い。このため、広帯域の周波数特性を有するスピーカと狭帯域の周波数特性を有するスピーカとの間でオーディオ信号の供給先を切り替える場合に、狭帯域の周波数特性を有するスピーカにおいて音量レベルが最大となる帯域での音量レベルが、広帯域の周波数特性を有するスピーカにおける同一帯域での音量レベルと同じになるようにオーディオ信号の音量レベルを調整することにより、狭帯域の周波数特性を有するスピーカでオーディオ信号を再生する場合における消費電力を下げつつ、適切な音量レベルでオーディオ信号を再生することができる。
【図面の簡単な説明】
【００１２】
【図１】図１は、本発明の第一実施の形態に係るオーディオ機器の概略機能構成図である。
【図２】図２は、図１に示すスピーカ２Ａ、２Ｂの周波数特性を示す図である。
【図３】図３は、本発明の第二実施の形態に係るオーディオ機器の概略機能構成図である。
【発明を実施するための形態】
【００１３】
以下、本発明の実施の形態について、図面を参照して説明する。
＜第一実施の形態＞
図１は、本発明の第一実施の形態に係るオーディオ機器の概略機能構成図である。
【００１４】
図示するように、本実施の形態に係るオーディオ機器は、オーディオ信号が入力されるスピーカ切替装置１と、スピーカ切替装置１に接続された二つのスピーカ２Ａ、２Ｂと、を備えて構成される。
【００１５】
スピーカ２Ａ、２Ｂは、互いに異なる周波数特性を有している。図２は、スピーカ２Ａ、２Ｂの周波数特性を示す図である。この図において、実線２０はスピーカ２Ａの周波数特性を示しており、点線２１はスピーカ２Ｂの周波数特性を示している。
【００１６】
図示するように、スピーカ２Ａは、スピーカ２Ｂに比べてより広い周波数帯域に亘り所定値以上の出力音量レベルを保持する広帯域スピーカであり、スピーカ２Ｂは、音声帯域（１ＫＨｚ付近）においてのみ所定値以上の出力音量レベルを保持する狭帯域スピーカである。したがって、スピーカ２Ａは、音楽等の広帯域のオーディオ信号を再生するのに適しており、スピーカ２Ｂは、ニュース、トーク番組等の音声が大部分を占める狭帯域のオーディオ信号の再生に適している。
【００１７】
なお、図示するように、狭帯域スピーカであるスピーカ２Ｂは、広帯域スピーカであるスピーカ２Ａに比べて、所定値以上の出力音量レベルを保持する帯域が狭い分、出力音量レベルが最大となる音声帯域（１ＫＨｚ付近）での出力音量レベルが、スピーカ２Ａの音声帯域での出力音量レベルに比べてΔＴ（ｄＢ)高い。このため、オーディオ信号の供給先をスピーカ２Ａからスピーカ２Ｂに切り替えた場合に、音声帯域の出力音量レベルが急激に大きくなり、視聴者を驚かせたり違和感を感じさせてしまうことがある。
【００１８】
図１に戻って説明を続ける。スピーカ切替装置１は、再生するオーディオ信号に応じて、オーディオ信号の供給先をスピーカ２Ａ、２Ｂのいずれか一方に切り替えるとともに、オーディオ信号の供給先のスピーカ２Ａ、２Ｂに応じて、再生するオーディオ信号の音量レベルを調整する。図示するように、スピーカ切替装置１は、オーディオ信号入力部１０と、音量調整部１１と、スピーカ切替部１２と、演算部１３と、記憶部１４と、制御部１５と、を有する。
【００１９】
オーディオ信号入力部１０は、オーディオ信号を入力するための入力端子である。
【００２０】
音量調整部１１は、制御部１５から指示された音量レベル調整量に従い、オーディオ信号入力部１０に入力されたオーディオ信号の音量レベルを調整する。
【００２１】
スピーカ切替部１２は、制御部１５の指示に従い、音量調整部１１から出力されたオーディオ信号の供給先をスピーカ２Ａ、２Ｂのいずれか一方に切り替える。
【００２２】
演算部１３は、オーディオ信号入力部１０に入力されたオーディオ信号にＦＦＴ（Ｆａｓｔ  Ｆｏｕｒｉｅｒ  Ｔｒａｎｓｆｏｒｍ）処理を施して、このオーディオ信号の周波数分布を検出する。
【００２３】
記憶部１４には、オーディオ信号の供給先をスピーカ２Ａからスピーカ２Ｂに切り替えた場合における音量レベル調整量Ｃ１と、スピーカ２Ｂからスピーカ２Ａに切り替えた場合における音量レベル調整量Ｃ２と、が記憶されている。上述したように、狭帯域スピーカであるスピーカ２Ｂは、出力音量レベルが最大となる音声帯域での出力音量レベルが、広帯域スピーカであるスピーカ２Ａの音声帯域での出力音量レベルに対してΔＴ（ｄＢ）高い。そこで、オーディオ信号の供給先をスピーカ２Ａからスピーカ２Ｂに切り替える場合には、図２の符号２２に示すように、オーディオ信号の音量レベルをΔＴ（ｄＢ）小さくし（音量レベル調整量Ｃ１＝−ΔＴ（ｄＢ)）、逆にスピーカ２Ｂからスピーカ２Ａに切り替える場合には、オーディオ信号の音量レベルをΔＴ（ｄＢ）大きくする（音量レベル調整量Ｃ２＝＋ΔＴ（ｄＢ)）。このようにすることで、スピーカ２Ａ、２Ｂを切り替える場合に、音声帯域の出力音量レベルがスピーカ切替前後で同じになるようにオーディオ信号の音量レベルを調整する。
【００２４】
制御部１５は、演算部１３で検出されたオーディオ信号の周波数分布に基づいて、スピーカ２Ａ、２Ｂからオーディオ信号の供給先を決定する。すなわち、オーディオ信号の周波数分布が音楽等の可聴帯域全体に亘る広帯域特性を示しているならば、スピーカ２Ａをオーディオ信号の供給先に決定し、ニュース、トーク番組等の音声帯域が大部分を占める狭帯域特性を示しているならば、スピーカ２Ｂをオーディオ信号の供給先に決定する。具体的には、オーディオ信号の周波数分布が、音声帯域を含む所定帯域の範囲内に収まるならば、オーディオ信号の供給先としてスピーカ２Ｂを選択し、この所定帯域の範囲を超えるならば、スピーカ２Ａを選択する。
【００２５】
上記構成のスピーカ切替装置１において、オーディオ信号入力部１０に入力されたオーディオ信号は、音量調整部１１および演算部１３に入力される。演算部１３は、入力されたオーディオ信号にＦＦＴ処理を施して、このオーディオ信号の周波数分布を検出し、この周波数分布を制御部１５に出力する。制御部１５は、入力されたオーディオ信号の周波数分布に基づいて、オーディオ信号の供給先のスピーカ２Ａ、２Ｂを決定する。
【００２６】
ここで、オーディオ信号の供給先がスピーカ２Ａからスピーカ２Ｂに切り替わる場合には、記憶部１４から音量レベル調整量Ｃ１を読み出す。そして、スピーカ切替部１２によるスピーカ２Ａからスピーカ２Ｂへのオーディオ信号の供給先の切り替えと、音量調整部１１によるオーディオ信号の音量レベル調整量Ｃ１分の音量レベル調整とが、同時に行われるようにスピーカ切替部１２および音量調整部１１を制御する。その結果、オーディオ信号入力部１０に入力されたオーディオ信号は、音量レベルがΔＴ（ｄＢ）下げられ、その後、スピーカ２Ｂから再生される。
【００２７】
また、オーディオ信号の供給先がスピーカ２Ｂからスピーカ２Ａに切り替わる場合には、記憶部１４から音量レベル調整量Ｃ２を読み出す。そして、スピーカ切替部１２によるスピーカ２Ｂからスピーカ２Ａへのオーディオ信号の供給先の切り替えと、音量調整部１１によるオーディオ信号の音量レベル調整量Ｃ２分の音量レベル調整とが、同時に行われるようにスピーカ切替部１２および音量調整部１１を制御する。その結果、オーディオ信号入力部１０に入力されたオーディオ信号は、音量レベルがΔＴ（ｄＢ）上げられ、その後、スピーカ２Ａから再生される。
【００２８】
以上、本発明の第一実施の形態について説明した。
【００２９】
本実施の形態において、スピーカ切替装置１は、周波数特性の異なる２つのスピーカ２Ａ、２Ｂを切り替えて使用するとともに、使用するスピーカ２Ａ、２Ｂに応じて、再生するオーディオ信号の音量レベルを調整する。具体的には、広帯域の周波数特性を有するスピーカ２Ａと狭帯域の周波数特性を有するスピーカ２Ｂとの間でオーディオ信号の供給先を切り替える場合に、切替前後のスピーカの出力音量レベルが同程度になるように（例えば、スピーカ２Ｂにおいて出力音量レベルが最大となる音声帯域での出力音量レベルが、スピーカ２Ａにおける音声帯域での出力音量レベルと同じになるように）、オーディオ信号の音量レベルを調整する。このため、２つのスピーカ２Ａ、２Ｂを切り替えながらオーディオ信号を再生する場合に、最大出力音量レベルが大きい方のスピーカ２Ｂの出力音量レベルが、最大出力音量レベルが小さい方のスピーカ２Ａと同程度となるように自動的に調整されるため、消費電力を下げることができる。例えば、スピーカ２Ｂの音声帯域での出力音量レベルとスピーカ２Ａの音声帯域での出力音量レベルとの差ΔＴ（ｄＢ）が１２（ｄＢ）である場合、スピーカ２Ｂの出力音量レベルを１２（ｄＢ）低下させることにより、出力音量レベルを調整することなくスピーカ２Ｂからオーディオ信号を再生する場合に比べてアンプからの出力電力を４分の１にすることができ、その分消費電力を下げることができる。
【００３０】
また、ニュース、トーク番組等の音声が大部分を占める狭帯域のオーディオ信号を再生する際には、オーディオ信号のフィルタリングを行わなくても、オーディオ信号の供給先を狭帯域のスピーカ２Ｂに切り替えればよいため、さらに電力消費を抑制することができる。
【００３１】
したがって、本実施の形態によれば、スピーカ２Ｂでオーディオ信号を再生する場合における消費電力を下げつつも、スピーカ２Ａ、２Ｂ間でオーディオ信号の供給先を切り替えたときに音声帯域の出力音量レベルが急激に変化しないように適切な音量レベルでオーディオ信号を再生することができる。
【００３２】
また、本実施の形態では、オーディオ信号にＦＦＴ処理を施して周波数分布を検出し、この検出した周波数分布に基づいてスピーカ２Ａ、２Ｂを切り替える。このため、再生するオーディオ信号に適したスピーカ２Ａ、２Ｂをオーディオ信号の供給先に決定することができる。
【００３３】
なお、本実施の形態では、オーディオ信号にＦＦＴ処理を施して周波数分布を検出し、この検出した周波数分布に基づいてスピーカ２Ａ、２Ｂを切り替えているが、本発明はこれに限定されない。例えば、デジタル放送信号のように、オーディオ信号にジャンルコードが付与されているならば、このジャンルコードに基づいてスピーカ２Ａ、２Ｂを切り替えてもよい。具体的には、ジャンルコードが、ニュース、トーク番組等の音声主体のコンテンツを示している場合はスピーカ２Ｂをオーディオ信号の供給先に決定し、それ以外の場合はスピーカ２Ａをオーディオ信号の供給先に決定する。
＜第二実施の形態＞
図３は、本発明の第二実施の形態に係るオーディオ機器の概略機能構成図である。
【００３４】
図示するように、本実施の形態に係るオーディオ機器は、オーディオ信号が入力されるスピーカ切替装置１Ａと、スピーカ切替装置１Ａに接続された二つのスピーカ２Ｃ、２Ｄおよびマイク３と、を備えて構成される。
【００３５】
スピーカ２Ｃ、２Ｄは、互いに異なる周波数特性を有しており、図示していないプラグを介してスピーカ切替装置１Ａに取り外し可能に接続されている。
【００３６】
マイク３は、スピーカ切替装置１Ａに接続されたスピーカ２Ｃ、２Ｄから出力される再生音を集音する。
【００３７】
スピーカ切替装置１Ａは、マイク３によって集音されたスピーカ２Ｃ、２Ｄ各々からの再生音の周波数分布を検出し、これらをスピーカ２Ｃ、２Ｄの周波数特性として記憶する。また、再生するオーディオ信号の周波数分布とスピーカ２Ｃ、２Ｄの周波数特性との整合度に応じて、オーディオ信号の供給先をスピーカ２Ｃ、２Ｄのいずれか一方に切り替えるとともに、オーディオ信号の供給先のスピーカ２Ｃ、２Ｄに応じて、再生するオーディオ信号の音量レベルを調整する。図示するように、スピーカ切替装置１Ａは、オーディオ信号入力部１０と、音量調整部１１と、スピーカ切替部１２と、演算部１３と、記憶部１４Ａと、制御部１５Ａと、オーディオ信号出力部１６Ａ、１６Ｂと、音源部１７と、第１入力切替部１８Ａと、第２入力切替部１８Ｂと、を有する。ここで、第一実施の形態に係るスピーカ切替装置１と同じ機能を有するものには同じ符号を付し、その詳細な説明を省略している。
【００３８】
記憶部１４Ａには、スピーカ２Ｃ、２Ｄの周波数特性が記憶される。
【００３９】
オーディオ信号出力部１６Ａ、１６Ｂは、スピーカ２Ｃ、２Ｄを接続するためのジャックである。オーディオ信号は、オーディオ信号出力部１６Ａを介してスピーカ２Ｃに出力されるか、あるいはオーディオ信号出力部１６Ｂを介してスピーカ２Ｄに出力される。
【００４０】
音源部１７は、ホワイトノイズ、ピンクノイズ等の可聴域全体に亘って均一な特性を有するオーディオ信号（ノイズ信号）を生成する。
【００４１】
第１入力切替部１８Ａは、制御部１５Ａの指示に従い、スピーカ切替部１２に入力するオーディオ信号の供給元を、音量調整部１１および音源部１７のいずれか一方に切り替える。
【００４２】
第２入力切替部１８Ｂは、制御部１５Ａの指示に従い、演算部１３に入力するオーディオ信号の供給元を、オーディオ信号入力部１０およびマイク３のいずれか一方に切り替える。
【００４３】
制御部１５Ａは、図示していない操作パネルを介して入力された操作者の指示に従い、スピーカ特性検出モードおよびオーディオ再生モードのいずれかで動作する。
【００４４】
スピーカ特性検出モードにおいて、制御部１５Ａは、第１入力切替部１８Ａおよび第２入力切替部１８Ｂを制御して、音源部１７で生成されたオーディオ信号（ノイズ信号）をスピーカ切替部１２に入力するとともに、マイク３で集音されたオーディオ信号を演算部１３に入力する。また、スピーカ切替部１２を制御して、スピーカ２Ｃ、２Ｄを順番に切り替え、音源部１７で生成されたオーディオ信号をスピーカ２Ｃ、２Ｄに順番に供給する。そして、各スピーカ２Ｃ、２Ｄの再生音をマイク３で集音し、そのオーディオ信号の周波数分布を演算部１３に検出させ、これらを各スピーカ２Ｃ、２Ｄの周波数特性として記憶部１４Ａに記憶する。
【００４５】
一方、オーディオ再生モードにおいて、制御部１５Ａは、第１入力切替部１８Ａおよび第２入力切替部１８Ｂを制御して、音量調整部１１から出力されたオーディオ信号をスピーカ切替部１２に入力するとともに、オーディオ信号入力部１０に入力されたオーディオ信号を演算部１３に入力する。そして、演算部１３で検出されたオーディオ信号の周波数分布と、記憶部１４Ａに記憶されているスピーカ２Ｃ、２Ｄの周波数特性とに基づいて、スピーカ２Ｃ、２Ｄからオーディオ信号の供給先を決定する。すなわち、オーディオ信号の周波数分布と整合度（近似度）の高い周波数特性を有するスピーカ２Ｃ、２Ｄをオーディオ信号の供給先に決定する。
【００４６】
また、オーディオ再生モードにおいて、制御部１５Ａは、オーディオ信号の供給先が切り替わる場合、切替前後において、音声帯域の出力音量レベルが同レベルに維持されるように、音量調整部１１に指示する音量レベル調整量を決定する。
【００４７】
上記構成のスピーカ切替装置１Ａにおいて、スピーカ特性検出モードの場合、音源部１７で生成されたオーディオ信号（ノイズ信号）は、先ず、スピーカ２Ｃにより再生され、その再生音がマイク３で集音されて演算部１３に入力される。演算部１３は、入力されたオーディオ信号にＦＦＴ処理を施して、このオーディオ信号の周波数分布を検出し、この周波数分布を制御部１５Ａに出力する。制御部１５Ａは、入力された周波数分布を、スピーカ２Ｃの周波数特性として記憶部１４Ａに記憶する。
【００４８】
次に、音源部１７で生成されたオーディオ信号は、スピーカ２Ｄにより再生され、その再生音がマイク３で集音されて演算部１３に入力される。演算部１３は、入力されたオーディオ信号にＦＦＴ処理を施して、このオーディオ信号の周波数分布を検出し、この周波数分布を制御部１５Ａに出力する。制御部１５Ａは、入力された周波数分布を、スピーカ２Ｄの周波数特性として記憶部１４Ａに記憶する。
【００４９】
以上のようにして記憶部１４Ａにスピーカ２Ｃ、２Ｄの周波数特性が記憶される。
【００５０】
一方、オーディオ再生モードの場合、オーディオ信号入力部１０に入力されたオーディオ信号は、音量調整部１１および演算部１３に入力される。演算部１３は、入力されたオーディオ信号にＦＦＴ処理を施して、このオーディオ信号の周波数分布を検出し、この周波数分布を制御部１５Ａに出力する。制御部１５Ａは、記憶部１４Ａを参照して、入力されたオーディオ信号の周波数分布と整合度の高い周波数特性を有するスピーカ２Ｃ、２Ｄを特定し、この特定されたスピーカ２Ｃ、２Ｄをオーディオ信号の供給先に決定する。
【００５１】
ここで、オーディオ信号の供給先が切り替わる場合、制御部１５Ａは、切替前後において、音声帯域の出力音量レベルが同レベルに維持されるように音量レベル調整量を決定する。具体的には、記憶部１４Ａに記憶されている２つのスピーカ２Ｃ、２Ｄの周波数特性が示す音声帯域の出力音量レベルの差ΔＴ（ｄＢ）を求め、切替後のスピーカの周波数特性が示す音声帯域の出力音量レベルが、切替前のスピーカの周波数特性が示す音声帯域の出力音量レベルよりΔＴ（ｄＢ）高いならば、音量レベル調整量を−ΔＴ（ｄＢ）に決定し、切替後のスピーカの周波数特性が示す音声帯域の出力音量レベルが、切替前のスピーカの周波数特性が示す音声帯域の出力音量レベルよりΔＴ（ｄＢ）低いならば、音量レベル調整量を＋ΔＴ（ｄＢ）に決定する。そして、スピーカ切替部１２によるスピーカ２Ｃ、２Ｄの切り替えと、音量調整部１１によるオーディオ信号の音量レベル調整量分の音量レベル調整とが、同時に行われるようにスピーカ切替部１２および音量調整部１１を制御する。その結果、オーディオ信号入力部１０に入力されたオーディオ信号は、音量レベルが音量レベル調整量に従い調整され、その後、オーディオ信号の供給先のスピーカ２Ｃ、２Ｄから再生される。
【００５２】
以上、本発明の第二実施の形態について説明した。
【００５３】
本実施の形態において、スピーカ切替装置１Ａは、スピーカ特性検出モードにおいて、オーディオ信号出力部１６Ａ、１６Ｂに接続されたスピーカ２Ｃ、２Ｄの周波数特性を検出して記憶部１４Ａに記憶する。そして、オーディオ再生モードにおいて、オーディオ信号入力部１０に入力されたオーディオ信号の周波数分布とより整合度の高い周波数特性を有するスピーカ２Ｃ、２Ｄをオーディオ信号の供給先に決定するとともに、オーディオ信号の供給先が切り替わる場合、切替前後において、音声帯域の出力音量レベルが同レベルに維持されるように音量レベル調整量を決定する。このため、スピーカ切替装置１Ａに接続するスピーカ２Ｃ、２Ｄを変更した場合においても、電力消費を抑制して消費電力を下げつつ、スピーカ２Ｃ、２Ｄ間でオーディオ信号の供給先を切り替えたときに音声帯域の出力音量レベルが急激に変化しないように適切な音量レベルでオーディオ信号を再生することができる。
【００５４】
なお、本発明は上記の各実施の形態に限定されるものではなく、その要旨の範囲内で数々の変形が可能である。
【００５５】
例えば、上記の各実施の形態では、スピーカ切替装置１、１Ａが、再生するオーディオ信号に応じて、２つのスピーカからオーディオ信号の供給先を切り替える場合を例にとり説明した。しかし、本発明はこれに限定されない。再生するオーディオ信号に応じて３以上のスピーカからオーディオ信号の供給先を切り替えてもよい。
【００５６】
また、図１、図３に示すスピーカ切替装置１、１Ａの機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）、マイクロコンピュータなどの計算機によりソフトウエア的に実現されるものでもよい。
【符号の説明】
【００５７】
１、１Ａ：スピーカ切替装置、  ２Ａ〜２Ｄ：スピーカ、  ３：マイク、  １０：オーディオ信号入力部、  １１：音量調整部、  １２：スピーカ切替部  、１３：演算部、  １４、１４Ａ：記憶部、  １５、１５Ａ：制御部、  １６Ａ、１６Ｂ：オーディオ信号出力部、  １７：音源部、  １８Ａ：第１入力切替部、  １８Ｂ：第２入力切替部
【図１】
2015070356.tif 000003
【図２】
2015070356.tif 000004
【図３】
2015070356.tif 000005